(57)【特許請求の範囲】
【請求項１】
先端部の内側壁を小径化した絞り部と、その絞り部の中央に設けられた放射口とを有する筒状のノズル本体と、
前記ノズル本体の外側に設けられ、軸長方向に移動する外筒と、
前記外筒の先端部に設けられ、中央に開口部を有する円板状のデフレクタとを備えたことを特徴とする消火用ノズル。
【請求項２】
放出される消火液は、ゲル状であることを特徴とする請求項１に記載の消火用ノズル。
【請求項３】
複数の流体を混合する混合器が前記ノズル本体の基端部に直結されて設けられていることを特徴とする請求項１又は２に記載の消火用ノズル。
【請求項４】
前記デフレクタの開口部は、前記ノズル本体の放射口よりも大きく、
又、前記外筒が軸長方向後方に移動して縮長状態にあるときに、消火液は長い放射距離で放射され、前記外筒が軸長方向前方に移動して伸長状態にあるときに、消火液は短い放射距離で放射されることを特徴とする請求項１乃至３の何れかに記載の消火用ノズル。
【発明の詳細な説明】
【技術分野】
【０００１】
この発明は、消火液の放射距離や放射パターン（放射角等）を変化させることのできる消火用ノズルに関する。
【背景技術】
【０００２】
従来より、各種消火設備において、消火液の放射距離や放射パターンを変化させることのできる消火用ノズルが用いられている。
【０００３】
この種の消火用ノズルは、一般に、ノズル本体の開口部中央に位置して設けられたデフレクタと、ノズル本体の外側に軸長方向前後に移動可能に装着された外筒とを備えており、その外筒を前後に移動させることにより消火液の放射距離や放射パターンを変化させることができるようになっている（例えば、特許文献１の図４参照）。
【先行技術文献】
【特許文献】
【０００４】
【特許文献１】特開平１０−１１８２１６号公報
【発明の概要】
【発明が解決しようとする課題】
【０００５】
前記のような従来の消火用ノズルの場合、デフレクタがノズル本体の開口部中央に位置しているので、そのデフレクタへの衝突による圧力損失が消火液には生じるものとなっている。又、消火液はノズルの内壁とノズル中央のデフレクタに沿って放出されるため、圧力損失が大きくなっている。
【０００６】
消火用ノズルから放射する消火液としては、各種のものがあるが、ゲル状の消火液のように高い粘度の粘性を有しているものがある。
【０００７】
従来の消火用ノズルは、前記のように、ノズル本体の開口部中央に位置するデフレクタに衝突することによる圧力損失が生じるものとなっており、粘性を有する消火液を放射する場合、その粘性によりデフレクタに衝突することによる圧力損失が大きくなってしまい、特に消火液がゲル状のもののように粘度が高いものであると、圧力損失が大き過ぎて、放射距離を延ばすことが困難となってしまうことがある。
【０００８】
この発明は、前記の事情に鑑み、消火液が粘性を有するものであっても、消火液の放射距離を容易に延ばすようにすることができる消火用ノズルを提供することを目的とする。
【課題を解決するための手段】
【０００９】
この発明は、先端部の内側壁を小径化した絞り部と、その絞り部の中央に設けられた放射口とを有する筒状のノズル本体と、前記ノズル本体の外側に設けられ、軸長方向に移動する外筒と、前記外筒の先端部に設けられ、中央に開口部を有する円板状のデフレクタとを備えたことを特徴とする消火用ノズルである。
【００１０】
又、この発明は、放出される消火液は、ゲル状であることを特徴とする消火用ノズルである。
【００１１】
又、この発明は、複数の流体を混合する混合器が前記ノズル本体の基端部に直結されて設けられていることを特徴とする消火用ノズルである。
【００１２】
又、この発明は、前記デフレクタの開口部は、前記ノズル本体の放射口よりも大きく、又、前記外筒が軸長方向後方に移動して縮長状態にあるときに、消火液は長い放射距離で放射され、前記外筒が軸長方向前方に移動して伸長状態にあるときに、消火液は短い放射距離で放射されることを特徴とする消火用ノズルである。
【発明の効果】
【００１３】
この発明は、デフレクタが中央に開口部を有するものとなっており、消火液がデフレクタに衝突することによる圧力損失を小さくすることができるものとなっている。
【００１４】
従って、この発明によれば、消火液が粘性を有するものであっても、消火液の放射距離を容易に延ばすようにすることができる消火用ノズルを提供することができる。
【００１５】
又、この発明においては、デフレクタが中央に開口部を有し、その開口部がノズル本体の放射口よりも大きいものとなっていることで、外筒が伸長状態にあるときに、消火液を外筒の内側壁に衝突させるようにすると共に、デフレクタにも衝突させるようにすることができつつも、外筒が縮長状態にあるときに、消火液を外筒の内側壁に衝突させないようにすると共に、デフレクタにも衝突させないようにすることができる。
【００１６】
従って、この発明においては、外筒を伸長状態にすることで、消火液を外筒の内側壁とデフレクタに衝突させて、短い放射距離で放射させるようにすることができつつも、外筒を縮長状態にすることで、消火液を外筒の内側壁にもデフレクタにも衝突させずに、長い放射距離で放射させるようにすること、即ち、外筒やデフレクタのない消火用ノズルと同程度の長い放射距離で放射させるようにすることができる。
【００１７】
又、この発明においては、ノズル本体の基端部に混合器を備えていることで、混合器による混合後の消火液を直ちに消火用ノズルから放射させるようにすることができる。
【００１８】
従って、この発明においては、ゲル状の消火液のような高い粘度を有する消火液を放射させる場合でも、消火液が途中で詰まるようなことなしに消火用ノズルから放射させることができる。
【図面の簡単な説明】
【００１９】
【図１】この発明の消火用ノズルを示し、（ａ）は外筒が伸長状態にあるときの断面図で、（ｂ）は外筒が縮長状態にあるときの断面図で、（ｃ）外筒先端のデフレクタ部分の正面図である。
【図２】同上を示し、（ａ）及び（ｂ）何れも、他の例における外筒の先端のデフレクタ部分の正面図である。
【図３】同上を示し、（ａ）及び（ｂ）何れも、ノズル本体基端部に混合器を備えた例における（ａ）は外筒が伸長状態にあるときの断面図で、（ｂ）は外筒が縮長状態にあるときの断面図である。
【発明を実施するための形態】
【００２０】
この発明の実施形態を図１乃至３に基づいて説明する。
【００２１】
図１（ａ）乃至（ｃ）は、この発明の消火用ノズルの実施形態の一例を示したものであるが、同図に示したように、消火用ノズル１は、先端に放射口２ａを有する筒状のノズル本体２と、ノズル本体２が挿入され、ノズル本体２の外側にその外周面上を軸長方向前後に摺動可能に装着された外筒３と、外筒３の先端部に、ノズル本体２の放射口２ａの前方に位置するように設けられ、中央に開口部４ａを有するデフレクタ４とを備えている。尚、外筒３の内径に対し、デフレクタ４の開口部４ａの内径は６０％程度にするのが適当である。
【００２２】
ここで、本実施形態において、ノズル本体２の放射口２ａは、ノズル本体２の先端には内側壁を小径化した絞り部２ｂの中央に設けられたものとなっている。ノズル本体２の内径に対し、放射口２ａの内径は７０％程度にするのが適当である。そして、デフレクタ４は、円板状をなすものとなっているが、所望の放射パターンに応じて、他の形状のものとしてもよい。又、このデフレクタ４において、開口部４ａはデフレクタ４がデフレクタ（散水板）として実質的に機能する際には消火液の放射口になるものであるが、その形状は図１に示した例では円形のものとなっている。この開口部４ａの形状も、所望の放射パターンに応じて変更してもよいことは勿論であり、例えば、図２（ａ）及び（ｂ）に示したような形状等種々の形状のものに変更してもよい。更に、このデフレクタ４は、外筒３の先端に着脱自在に設けられたものとなっており、具体的には、デフレクタ４は、外筒３の先端外側に螺着されて装着される筒状の装着部４ｂの先端に一体に設けられたものとなっている。これにより、デフレクタ４は、所望の放射パターンに応じ、容易に交換可能なものとなっている。尚、勿論、デフレクタ４は、外筒３に着脱自在にしなくてもよく、例えば、外筒３と一体に設けられるものとしてもよい。
【００２３】
図１（ａ）は、外筒３が軸長方向前方に移動し、伸長状態にあるときを示したものである。ここで、伸長状態とは、放射口２ａとデフレクタ４とが離れている状態をいう。この状態で消火用ノズル１から消火液を放射させる場合、ノズル本体２の基端側から供給される消火液は、絞り部２ｂで流水断面積が絞られて、先端の放射口２ａから放射されると、矢印Ａ１で示したように、外筒３の内側壁３ａに衝突して流れが乱された上で、デフレクタ４の内壁に衝突して流れが乱されて、矢印Ａ２で示したように、デフレクタ４の開口部４ａから広角に短い放射距離で放射されることとなる。
【００２４】
そして、図１（ｂ）は、外筒３が軸長方向後方に移動し、縮長状態にあるときを示したものである。ここで、縮長状態とは、放射口２ａとデフレクタ４とが接している状態をいう。デフレクタ４の開口部４ａは、ノズル本体２の放射口２ａよりも大きなものとなっているため、外筒３が縮長状態にあるときに、消火液がデフレクタ４に衝突しないようになっている。即ち、デフレクタ４がデフレクタとして実質的には機能しないようになっている。尚、デフレクタ４の開口部４ａの径に対し、放射口２ａの内径は８０〜９０％程度にするのが適当である。これにより、この状態で消火用ノズル１から消火液を放射させる場合、ノズル本体２の基端側から供給される消火液は、先端の放射口２ａから放射されると、矢印Ａ３で示したように、放射口２ａから棒状に長い放射距離で放射されることとなる。
【００２５】
尚、本実施の形態においては、外筒３をノズル本体２の外周面上を摺動可能なものとしたが、外筒３は軸長方向前後に移動することができるものであればよく、例えば、外筒３をノズル本体２の外側に螺着して設け、外筒３を回動させることによって軸長方向前後に移動可能なものとしてもよい。又、外筒３を最大まで伸長させたときにロックできる機構を設けてもよい。
【００２６】
消火用ノズル１は、前記のように、デフレクタ４が中央に開口部４ａを有するものとなっており、消火液がデフレクタ４に衝突することによる圧力損失を小さくすることのできるものとなっている。又、消火液は消火用ノズル１の内壁に沿って放出されるので、デフレクタ４が中央にあり、消火ノズル１の内壁とデフレクタ４に沿って消火液が放出される場合と比べて圧力損失が小さくなる。
【００２７】
従って、消火用ノズル１は、消火液が粘性を有するものであったとしても、例えば、その消火液が粘度の高いゲル状のものであったとしても、消火液の放射距離を容易に延ばすようにすることができる。
【００２８】
更に、消火用ノズル１は、前記のように、デフレクタ４が中央に開口部４ａを有し、その開口部４ａがノズル本体２先端の放射口２ａよりも大きいものとなっているため、外筒３が伸長状態にあるときに、消火液を外筒３の内側壁３ａに衝突させるようにすると共に、デフレクタ４にも衝突させるようにすることができる。一方、外筒３が縮長状態にあるときに、消火液を外筒３の内側壁３ａに衝突させないようにすると共に、デフレクタ４にも衝突させないようにすることができるものとなっている。
【００２９】
従って、消火用ノズル１は、外筒３を伸長状態にすることで、消火液を外筒３の内側壁３ａとデフレクタ４に衝突させて、短い放射距離で放射させるようにすることができる。即ち、外筒３を伸長させることで、放射口２ａからデフレクタ４の間の外筒３内に乱流室が形成され、短い放射距離で放射させることができる。一方、外筒３を縮長状態にすることで、消火液を外筒３の内側壁３ａにもデフレクタ４にも衝突させずに、長い放射距離で放射させるようにすることができる。即ち、外筒３やデフレクタ４のない放射距離や放射パターンが一定の消火用ノズルと同程度の長い放射距離で放射させるようにすることができる。
【００３０】
最後に、図３は、消火用ノズル１が混合器６を備えた例を示したものであり、ノズル本体２の基端部に螺着により直結された混合器６を備えたものとなっている。
【００３１】
混合器６は、複数の流体、具体的には、消火薬剤原液と消火水とを混合し、その混合したものを消火液としてノズル本体２に供給することができるようになっている。この混合器６は、具体的には、消火水の供給ラインが接続され、消火水が供給される第１ポート６ａと、消火薬剤の供給ラインが接続され、消火薬剤が供給される第２ポート６ｂと、ノズル本体２の基端部２ｄが接続され、混合した消火液を排出してノズル本体２に供給する第３ポート６ｃを備えており、更に、一次側の第１ポート６ａ及び第２ポート６ｂと二次側の第３ポート６ｃとの流通の開閉を切り換え可能にする手段として、ボール弁６ｄを備えている。ボール弁６ｄはＴ字状に形成された貫通口を有し、回動可能に収納されている。ボール弁６ｄを所定位置に回動させると、混合器６の第１ポート６ａ及び第３ポート６ｃと第２ポート６ｂとがボール弁６ｄのＴ字状の貫通口を介して連通状態になる。尚、６ｅは第３ポート６ｃの途中に設けられ、第３ポート６ｃを通る消火薬剤原液及び消火水に旋回流を生じさせ、両者を混合して消火液とするためのスパイラル部６ｅである。又、６ｆは、回動操作することによって、ボール弁６ｄを回動させ、一次側の第１ポート６ａ及び第２ポート６ｂと二次側の第３ポート６ｃとの流通の開閉を切り換え操作するための操作レバーである。
【００３２】
この例の消火用ノズル１は、前記のように、ノズル本体２の基端に複数の流体を混合する混合器６を備えている。即ち、混合器６の第３ポート６ｃにホースや配管を介することなく、直接ノズル本体２の基端部２ｄを接続するので、混合器６による混合後の消火液を直ちに放射させるようにすることができるものとなっている。
【００３３】
従って、この例の消火用ノズル１は、ゲル状の消火液のような高い粘度を有する消火液を放射させる場合であっても、消火液が途中で詰まるようなことなしに消火用ノズル１から放射させることができる。
【符号の説明】
【００３４】
１：消火用ノズル  ２：ノズル本体  ２ａ：放射口  ２ｂ：絞り部
３：外筒  ３ａ：内側壁  ４：デフレクタ  ４ａ：開口部  ４ｂ：装着部
６：混合器  ６ａ：第１ポート  ６ｂ：第２ポート  ６ｃ：第３ポート
６ｄ：ボール弁  ６ｅ：スパイラル部  ６ｆ：操作レバー
Ａ１〜Ａ３：矢印
【図１】
0005726036.tif 000002
【図２】
0005726036.tif 000003
【図３】
0005726036.tif 000004